(57)【要約】【課題】包装袋からなる梱包品を解砕し解砕物を人手に頼ることなく大きさ基準で分離して残分から古紙を回収して資源の有効利用を図る。【解決手段】外側紙袋内にプラスチック袋が設けられた包装袋から古紙パルプを製造する方法であって、  前記包装袋を１軸破砕装置１０により破砕処理して、紙袋及びプラスチック袋を破砕し、破砕された少なくとも紙分を２軸（多軸）破砕装置２０により破砕処理し、破砕した破砕物を古紙パルプ製造工程に供給する原料とする。【選択図】図１
2020105655.tif 000002
【特許請求の範囲】
【請求項１】
外側紙袋内にプラスチック袋が設けられた包装袋から古紙パルプを製造する方法であって、
前記包装袋を１軸破砕装置により破砕処理して、紙袋及びプラスチック袋を破砕し、
破砕された少なくとも紙分を多軸破砕装置により破砕処理し、
破砕した破砕物を古紙パルプ製造工程に供給する原料とする、
ことを特徴とする古紙パルプ原料の製造方法。
【請求項２】
外側紙袋内にプラスチック袋が設けられた包装袋から古紙パルプを製造する方法であって、
前記包装袋を１軸破砕装置により破砕処理して、紙袋及びプラスチック袋を破砕する１軸破砕工程と、
前記１軸破砕工程で破砕された少なくとも紙分を集合してベールとするベール工程と、
前記ベール工程でのベールを多軸破砕装置により破砕処理する多軸破砕工程と、
破砕した破砕物を古紙パルプ製造工程に供給する原料とする原料化工程と、
を有することを特徴とする古紙パルプ原料の製造方法。
【請求項３】
外側紙袋内にプラスチック袋が設けられた包装袋から古紙パルプを製造する方法であって、
前記包装袋を１軸破砕装置により破砕処理して、紙袋及びプラスチック袋を破砕する１軸破砕工程と、
前記１軸破砕工程からの破砕された少なくとも紙分を多軸破砕装置により破砕処理する多軸破砕工程と、
破砕した破砕物を古紙パルプ製造工程に供給する原料とする原料化工程と、
を有することを特徴とする古紙パルプ原料の製造方法。
【請求項４】
さらに、
前記破砕した破砕物について、ハイパースペクトルカメラにより測光した吸光度スペクトルに基づき、セルロース成分又は樹脂成分が支配的であるか否かを弁別する弁別工程と、
を有し、
前記弁別工程で弁別したセルロース成分を古紙パルプ製造工程に供給する原料とする、
請求項１〜３のいずれか１項に記載の古紙パルプ原料の製造方法。
【請求項５】
さらに、
前記破砕した破砕物を大きさ基準で分離する分離工程と、
前記分離工程で分離された大サイズ分について、ハイパースペクトルカメラにより測光した吸光度スペクトルに基づき、セルロース成分又は樹脂成分が支配的であるか否かを弁別する弁別工程と、
を有し、
前記弁別工程で弁別したセルロース成分を古紙パルプ製造工程に供給する原料とする、
請求項１〜３のいずれか１項に記載の古紙パルプ原料の製造方法。
【発明の詳細な説明】
【技術分野】
【０００１】
本発明は、包装袋から古紙パルプ原料を製造する製造方法及び処理方法に関するものである。
【背景技術】
【０００２】
近年、生活の多様化やインターネットによる通信販売などの活発化により、耐久性のある包装材料の需要が増している。例えばクラフト紙などは、衝撃に対する耐久性を有するため、クラフト紙を材料とした包装袋が市中において流通し、使用量が増加している。
特に好適に用いられる「重袋」は、「重包装袋」又は「多重紙袋」ともいう。例えば、全国クラフト紙袋工業組合のホームページに各種の製品が示されている。
【０００３】
使用量の増加に伴って包装袋の回収・再利用化が望まれ、包装袋の材料であるクラフト紙は、例えば、リサイクルにより段ボール古紙パルプの原料とすることができ、また、製品としてのクラフト紙の製造原料とすることもできる。
さらに、包装袋の内層がプラスチックフィルムからなるものがあり、この樹脂フィルムは樹脂資源に利用可能である。
【０００４】
製紙工場では、市中から回収されたプラスチックフィルムを有しない包装袋においては、再生処理設備で古紙パルプ化された後、再び抄紙され段ボールに代表されるリサイクル再生紙として利用できる。しかしながら、プラスチックフィルムが内層となっている包装袋は製紙過程での種々の品質低下要因となるので、その受け入れをすることができないでいた。
【０００５】
また、古紙の回収企業にとっては、包装袋の回収後にクラフト紙とプラスチックフィルムとの分別を行うことなく、分別しない状態で製紙工場に販売できることが望ましいが、製紙工場では、前述のように、包装袋は製紙過程での種々の品質低下要因となるので、クラフト紙とプラスチックフィルムが分別されていない状態の包装袋の受け入れはできない。
【０００６】
もちろん、包装袋を受け入れて焼却処分する方法も考えられるが、焼却によるエネルギー回収量は低く、包装袋を有用資源として考えた場合には、焼却は避けるべきである。
【０００７】
現状では、包装袋の回収企業では、包装袋をクラフト紙とプラスチックフィルムに人手により分離し、クラフト紙を、例えば段ボール原紙に再生できる古紙として（圧縮）梱包し、古紙ベールの状態で製紙工場に納入している。
【０００８】
このクラフト紙とプラスチックフィルムの人手による分離は、人件費コストが嵩み、包装袋回収の費用対効果は低いものである。この包装袋の回収に係る人件費コストが、製紙工場にとっては受け入れクラフト紙に係るコストの高騰につながっている。また、作業環境からも見直す必要性が高い。
【０００９】
現在、クラフト紙とプラスチックフィルムの分離には多くの技術的課題が残されており、結局、古紙の回収業者はやむなく人海戦術による分離を行っている状況にある。
【００１０】
ところで、古紙の選別手段としては、風力、比重、磁力、対象物の大きさ等を選別基準とすることが知られている。
しかし、この種の選別は異物除去には有効であるが、プラスチックフィルムがクラフト紙袋に内層され包装袋として一体化したものの分離除去には有効ではない。特に、クラフト紙とプラスチックフィルムが部分的に接着された包装袋には不向きな場合がある。
【００１１】
特許文献１には、ラミネート古紙にアルカリを添加して大きなフレーク状に離解した後、タワー内で熟成し、次いで、スラリー濃度を１０％以下に希釈して異物を除去する技術が開示されている。この技術は、ラミネートフィルムを微細化せずに古紙からはがし、はがれたラミネートフィルムはスクリーン等で分離除去するものである。
しかし、特許文献１はサイズの小さいミルクカートンなどを対象とし、包装袋の処理に際しては、サイズが大きいほか、プラスチックフィルムがクラフト紙と積層されているものではないために、離解装置で処理することはできない。
【００１２】
なお、後述する２種の破砕装置を使用する観点から特許文献２を予め挙げておく。特許文献２は２軸破砕装置で破砕したものを、後に１軸破砕装置で破砕するものである。
【先行技術文献】
【特許文献】
【００１３】
【特許文献１】特開平４−１６３３８５号公報
【特許文献２】特開２００２−３５５５７５号公報
【発明の概要】
【発明が解決しようとする課題】
【００１４】
そこで、本発明が解決しようとする主たる課題は、包装袋を解砕処理し、最終的にクラフト紙成分回収して古紙パルプ製造工程に供給する原料とすることにより、資源の有効利用を図ることにある。
他の課題は、人手に頼ることなく、可能な限り処理を自動化することにある。
【課題を解決するための手段】
【００１５】
上記課題を解決した本発明は、外側紙袋内にプラスチック袋が設けられた包装袋から古紙パルプを製造する方法に係るものである。
前記包装袋を１軸破砕装置により破砕処理して、紙袋及びプラスチック袋を破砕し、
破砕された少なくとも紙分を多軸破砕装置により破砕処理し、
破砕した破砕物を古紙パルプ製造工程に供給する原料とする。
【００１６】
例えば、１軸破砕装置と多軸破砕装置との設置位置が離れている場合には、ベール工程を付加して、１軸破砕工程で破砕され、破砕された少なくとも紙分を集合してベールとし、このベールを（ベール用結束具を分離し）多軸破砕装置により破砕処理するようにすることもできる。
この場合、次の工程を有する構成とすることができる。
包装袋を１軸破砕装置により破砕処理して、紙袋及びプラスチック袋を破砕する１軸破砕工程。
前記１軸破砕工程で破砕され、破砕された少なくとも紙分を集合してベールとするベール工程。
前記ベール工程でのベールを多軸破砕装置により破砕処理する多軸破砕工程。
破砕した破砕物を古紙パルプ製造工程に供給する原料とする原料化工程。
【００１７】
他方、１軸破砕装置と多軸破砕装置とを近接し、１軸破砕工程と多軸破砕工程とを連続化できる。
この場合、次の工程を有する構成とすることができる。
前記包装袋を１軸破砕装置により破砕処理して、紙袋及びプラスチック袋を破砕する１軸破砕工程。
前記１軸破砕工程からの破砕された少なくとも紙分を多軸破砕装置により破砕処理する多軸破砕工程。
破砕した破砕物を古紙パルプ製造工程に供給する原料とする原料化工程。
【００１８】
本発明に係る１軸破砕工程の後に多軸破砕工程で破砕する構成は、次の構成と組み合せることにより、技術的特徴がより明確となる。
すなわち、次の実施の形態である。
さらに、
前記破砕した破砕物を大きさ基準で分離する分離工程と、
前記分離工程で分離された大サイズ分について、ハイパースペクトルカメラにより測光した吸光度スペクトルに基づき、セルロース成分又は樹脂成分が支配的であるか否かを弁別する弁別工程と、
を有し、
前記弁別工程で弁別したセルロース成分を古紙パルプ製造工程に供給する原料とする。
【００１９】
ここで、分離工程を省略することもでき、破砕した破砕物を直接的に弁別工程に供給することもできる。
【００２０】
紙分とプラスチック（樹脂）分との分離については、アルカリ液などを用いることなく、乾式で分離するのは難しい。しかるに、ハイパースペクトルカメラにより測光した吸光度スペクトルに基づき、セルロース成分又は樹脂成分が支配的であるか否かを弁別する弁別工程を経ることにより容易に乾式での分離が可能となる。
【００２１】
他方で、前記の弁別工程において、セルロース成分（クラフト紙袋由来分）又は樹脂成分（プラスチック袋由来分）が多い場合、弁別機上で重なる機会が多くなり、弁別精度が低下する。
そこで、１軸破砕工程の後に多軸破砕工程で破砕することにより、細かくし、もって弁別機上で重なる機会が少なくなり、弁別精度の低下を防止できる。
【００２２】
本発明では１軸破砕工程の後に多軸破砕工程で破砕する。この点、２軸破砕装置で破砕したものを、後に１軸破砕装置で破砕する特許文献２のものと相違する。
１軸破砕装置での破砕の挙動は言葉で表現しづらいが、概要、１軸破砕装置では、包装袋における、外側紙袋内にプラスチック袋に対して、紙袋分を掻き剥がすように破砕するものである。包装袋では上端部又は下端部が紙バンドや接着剤で固定されている、あるいは糸縫いがなされており、かかる固定部から紙袋分を掻き剥がすように分離しながら破砕するものである。
１軸破砕装置で破砕に伴う細分又は金属片などは分離できる。
【００２３】
１軸破砕装置としては、１軸で破砕するものであればその破砕装置の構成は特に制限されるものではなく、公知の破砕装置を利用できる。破砕を目的とした回転するドラム状のローター表面に取り付けられた回転刃と本体の固定刃との噛み合いでせん断破砕される１軸せん断破砕装置が好適に用いられる。
さらに、単純に破砕室内に被破砕物を投入しただけでは原料を噛み込みにくいため、プッシャーと呼ばれる押込み装置で効率よく破砕を継続させる構造のものがさらに好適に用いられる。
前記破砕サイズは、ローター下側に設置されたスクリーン（分散した円形孔スリット状の孔が並列している態様などのスクリーン）の目開きにより規定することができる。ローター回転数などの制限はないが、それぞれ、２０〜１０００ｒｐｍ程度が好ましい。
【００２４】
その後、多軸破砕装置で破砕する。この多軸破砕装置では、紙袋分及びプラスチック袋分の全体を細かく破砕するものである。
【００２５】
多軸破砕装置としては、破砕軸が二軸以上であればよく、二軸破砕装置、三軸破砕装置、四軸破砕装置などが挙げられるが、装置コストやメンテナンスコスト等を考慮すると二軸破砕装置が最も好ましい。
【００２６】
１軸破砕装置又は多軸破砕装置において、あるいはそれらの間において、重力選別、風力選別や磁力選別などの選別機（手段）によって、混入の可能性のある金属類等の異物、あるいは過度の細分を分離・除去することも可能である。
【発明の効果】
【００２７】
本発明によると、包装袋を解砕し、解砕物を人手に頼ることなく大きさ基準で分離して、残分から古紙を回収して資源の有効利用を図ることができる。
【図面の簡単な説明】
【００２８】
【図１】包装袋の梱包品の処理形態の概要フロー図である。
【図２】包装袋の梱包品の他の処理形態の概要フロー図である。
【図３】１軸解砕装置概要説明図である。
【図４】２軸解砕装置の正面図である
【図５】２軸解砕装置の平面図である。
【図６】２軸解砕装置の解砕刃の斜視図である。
【図７】投入フィーダーの平面図である。
【図８】投入フィーダーの要部斜視図である。
【図９】投入フィーダーの要部平面図である。
【図１０】投入フィーダーから仕分け装置までの全体を示す正面図である。
【図１１】弁別装置例の概要斜視図である。
【図１２】弁別装置例の概要説明図である。
【図１３】古紙パルプ製造設備例の概要フロー図である。
【図１４】他の古紙パルプ製造設備例の概要フロー図である。
【図１５】２軸解砕装置のＡ−Ａ断面図である。
【図１６】（ａ）（ｂ）解砕刃の別の実施形態の側面図である。
【図１７】圧縮梱包品のままの解砕工程の説明図である。
【図１８】搬送ディスクの他の実施形態を示す図である。
【図１９】搬送ディスクの他の実施形態を示す図である。
【図２０】（ａ）（ｂ）搬送ディスクの位相のずれの説明図である。
【図２１】紙の近赤外線反射波の波長強度分布図である。
【図２２】ＰＥの近赤外線反射波の波長強度分布図である。
【図２３】ＰＰの近赤外線反射波の波長強度分布図である。
【図２４】ＰＳの近赤外線反射波の波長強度分布図である。
【図２５】ＰＥＴの近赤外線反射波の波長強度分布図である。
【図２６】ＰＶＣの近赤外線反射波の波長強度分布図である。
【図２７】投入フィーダーの設置角度の説明図である。
【図２８】投入フィーダーの別の形態を示す図である。
【図２９】揺動機構の説明図である。
【図３０】他の搬送ディスクの他の実施形態を示す図である。
【図３１】他の搬送ディスクの他の実施形態を示す図である。
【図３２】弁別装置例の変形例の概要説明図である。
【発明を実施するための形態】
【００２９】
次に、本発明を実施するための形態を説明する。なお、本実施の形態は、本発明の一例に過ぎない。
【００３０】
包装袋の形態、層数、その順序は、最外層が紙袋でその内側にプラスチック袋が設けられたものである限り限定はなく、外側紙袋内と内側紙袋との間にプラスチック袋が設けられたもの、さらに紙袋とプラスチック袋とを順に４層にしたものなどのものもある。紙袋としてはクラフト紙が好ましい。
内部には、米、砂糖、セメント、肥料、化学品、硝安油剤爆薬等が封入される。
【００３１】
プラスチック袋の材質に限定はなく、例えば、ポリエチレン、ポリプロピレン、ポリアミド、ポリエステル、エチレン・酢酸ビニル共重合体、アイオノマー樹脂、ポリ塩化ビニル、ポリ塩化ビニリデン等の樹脂又はこれら樹脂の複合体からなる、プラスチックフィルムの厚さは特に制限されないが、例えば厚さ１０〜３０μｍからなるものが一般的である。また、このプラスチックフィルムには所謂ラミネート加工された樹脂も含まれる。プラスチックフィルムは、１層又は複数層で構成されてよく、防湿性、透気性、強度性等を備えたものであってもよい。この包装袋を構成する複数層の各層間はホットメルト等の接着手段で接着されていてもよいし、接着手段で接着されていなくてもよい。
【００３２】
本発明の包装袋からなる圧縮梱包品（ベール）の処理の形態例を図１に示してある。しかし、必要ならば、圧縮梱包品でなく、包装袋をバラの状態で解砕処理することもできる。
ここでは、圧縮梱包品について解砕処理する図１に従って処理の概要を予め概説する。
圧縮梱包品１は、例えばフォークリスト２によって、投入コンベア３に搬送され、投入コンベア３から１軸解砕装置１０に投入される。
圧縮梱包品１は、例えば番線で結束されているので、１軸解砕装置１０に至る前の適宜の時点で、あるいは１軸解砕装置１０内で番線などの結束具を除去できる。
しかしながら、前述のように、本実施形態に搬入される包装袋は、圧縮梱包品１の状態で投入コンベア３に搬送されなくてもよい。例えば、フレコンパックに詰められた状態やバラ積みされた状態で搬送されてもよい。この状態であっても、包装袋は、投入コンベア３に搬送され、投入コンベア３から１軸解砕装置１０に投入される。
【００３３】
（圧縮梱包品）
圧縮梱包品１ は、所定量の包装袋をベーラー（圧縮梱包機）により１２０〜１５０ｋｇ／ｃｍ3程度の圧力で加圧、固形化されて番線等の結束具により梱包して形成される。重量は約１０００〜１５００Ｋｇであり、体積は高さ１〜２ｍ×幅１〜２ ｍ×縦１〜２ ｍ程度である。
【００３４】
（１軸破砕装置）
１軸破砕装置１０としては、１軸で破砕するものであればその破砕装置の構成は特に制限されるものではなく、公知の破砕装置を利用できる。
例えば、図３に基本構造を示すように、ケーシング内に、破砕を目的とした回転するドラム状のローター１０Ａ表面に取り付けられた回転刃１０ａと本体の固定刃１０Ｂとの噛み合いでせん断破砕される１軸せん断破砕装置が好適に用いられる。
さらに、単純に破砕室内に被破砕物を投入しただけでは原料を噛み込みにくいため、プッシャーと呼ばれる押込み装置１０Ｃで効率よく破砕を継続させる構造のものがさらに好適に用いられる。
前記破砕サイズは、例えばローター１０Ａの下側又は背側に設置されたスクリーン１０Ｄの目開きにより規定することができる。ローター回転数などの制限はないが、それぞれ、２０〜１０００ｒｐｍ程度が好ましい。
【００３５】
１軸破砕装置１０において解砕された解砕物は、コンベア４によりベーラー５に送られ、圧縮梱包される。この過程で、例えばコンベア４に磁選機（図示せず）を設けて金属物を除去するなどの工程を設けてもよい。
【００３６】
ベーラー５で圧縮梱包された圧縮梱包品は、例えばフォークリスト２により前コンベア６に送られ、圧縮梱包品の番線などの異物７の除去がなされた後、投入コンベア８により２軸解砕装置２０に投入される。
【００３７】
２軸解砕装置２０の構造に限定はないが、実施の形態の２軸解砕装置２０は、軸芯回りに回転する実質的に平行な少なくとも２本の第１支持軸２０Ａ及び第２支持軸２０Ａを有し、各支持軸に、径方向外側に突出する解砕刃が前記軸芯方向に間隔を空けて複数設けられ、解砕刃は、少なくとも外周部に鉤状部を有し、かつ、軸芯方向に沿う解砕刃群の鉤状部の位置が軸芯回り方向に相違しており、解砕刃を有する前記支持軸がケーシング内に配置されている構造である。
【００３８】
支持軸２０Ａの回転により解砕刃２０Ｂも回転する。解砕刃２０Ｂの少なくとも外周部に鉤状部２０Ｃを有しているので、他方の支持軸２０Ａ又は解砕刃２０Ｂとの間で留まっている被解砕物に対し、鉤状部２０Ｃが引っかかり、続く回転により、当該解砕刃２０Ｂと対向する支持軸２０Ａの隣接する解砕刃２０Ｂとの間で剪断力が作用し、包装袋からなる梱包品の破断がなされる。かかる破断又は切り裂きがなされあるいは繰り返される結果、細分化がなされる。
一方で、両支持軸２０Ａ間又は解砕刃２０Ｂ間に被解砕物が長く留まるのは解砕効率の点  で避けるべきである。しかし、本発明の形態においては、軸芯方向に沿う解砕刃群の鉤状部２０Ｃの位置が軸芯回り方向に相違している結果、支持軸２０Ａの回転に伴う解砕部位が軸芯方向に経時的に異なる（変化する）ので、被解砕物の破断又は切り裂きが軸芯方向に経時的に異なる（変化する）ようになり、かつ、被解砕物の滞留がなくなる。
他方で、解砕刃２０Ｂを有する前記支持軸２０Ａがケーシング本体２０１内に配置されている、したがって、被解砕物及び解砕物の飛び散りが防止される。
被解砕物（包装袋からなる梱包品）は、ケーシング本体２０１の上方から投入され、解砕刃により解砕されて、解砕物となり、ケーシング本体２０１の下方に設置された搬送コンベア９に落下する。
上記の作用機序を伴う２軸解砕装置２０によれば、梱包品の解砕に最適であることが判明している。
包装袋の解砕が適確になされれば、投入フィーダー３０における残分をそのまま、あるいは同残分を選別手段により選別し、その選別物を、古紙パルプ製造工程に供給する。
しかしながら、投入フィーダー３０による解砕物の分離を行わず、解砕物をそのまま、あるいは、選別手段により選別し、その選別物を、古紙パルプ製造工程に供給することもできる。古紙パルプ製造工程としては、一例にクラフト紙製造工程や段ボール用紙製造工程等がある。解砕物又は選別物のうちクラフト紙はクラフト紙製造工程に供給され、製品としてのクラフト紙が製造される。また、解砕物又は選別物のうちクラフト紙が段ボール用紙製造工程に供給されることで段ボールが製造される。また、解砕物又は選別物のうちプラスチックフィルムは樹脂フィルムに製造・加工され、又は工場内の発電用の原料として、再利用化される。
【００３９】
第１支持軸２０Ａの鉤状部２０Ｃの内側が向いている方向と、第２支持軸２０Ａの鉤状部２０Ｃの内側が向いている方向とが、反対方向で相違していることが望ましい。
ここで、第１支持軸２０Ａ及び第２支持軸２０Ａの回転方向が同じ場合と、反対方向の場合とがあるが、いずれの場合においても、第１支持軸２０Ａの鉤状部２０Ｃの内側が向いている方向と、第２支持軸２０Ａの鉤状部２０Ｃの内側が向いている方向とが、反対方向で相違していると滞留が少なく破砕効率が高いことを知見している。
【００４０】
本実施形態に係る２軸解砕装置２０を図４〜図６に示す。２軸解砕装置２０は、圧縮梱包品１を解砕（破砕）し、包装袋を分離、破断するものである。包装袋が、クラフト紙の層１５１、プラスチックフィルムの層１５２、これら以外の包装袋構成材料の層で構成されている場合は、これらの層それぞれが分離、破断されることになる。２軸解砕装置２０のケーシング本体２０１内は解砕部２０３となっており、ケーシング本体２０１の上部にはホッパー２０２が備わる。ケーシング本体２０１下部は開放されている。
【００４１】
解砕部２０３には、複数の解砕刃２０Ｂを有する支持軸２０Ａ，２０Ａが、解砕部２０３の一方の内壁（ケーシング本体２０１の内壁）から対向するもう一方の内壁まで配されている。支持軸２０Ａの向きは、後の工程に備わる搬送コンベア９の搬送方向としてもよいし、幅方向としてもよい。
実施の形態では、支持軸は２本備わり、第１支持軸２０Ａ及び第２支持軸２０Ａ相互は、例えば、水平方向に離間している。しかしながら、支持軸の本数は３本以上の複数であってもよい。
【００４２】
第１支持軸２０Ａ及び第２支持軸２０Ａのそれぞれは、それらの支持軸の軸芯を中心に独立して回転可能である。同支持軸２０Ａの回転速度は適宜調節することができる。そのため、最終的に製造される古紙パルプの単位時間当たりの製造量に合わせて支持軸２０Ａの回転速度を調節し、圧縮梱包品１の２軸解砕装置２０への時間当たりの投入量を調節することができる。
なお、支持軸の本数を２本とすると、２軸解砕装置２０は必要以上に大型化せず、設置に場所を採らない。また、２軸解砕装置２０の大きさがコンパクトとなる。
また、支持軸２０Ａそれぞれの回転方向については、独立して、選択できる。そして、支持軸２０Ａの下部には、支持軸２０Ａに直交して水平方向に支持部材２０４が、支持軸２０Ａに離間して複数配されている。
支持軸２０Ａの回転方向を独立して選択できるようにすると、すなわち第１支持軸２０Ａ及び第２支持軸２０Ａを同方向に回転させる、逆方向に回転する操作を加えることによって、圧縮梱包品１又は解砕物を詰まらせないようにできる。また支持部材２０４が備わるので、解砕途中の包装袋が適度なサイズに解砕されるまで同支持部材２０４に留まる傾向を示す。そのため適度な大きさに解砕されない包装袋が塊のまま搬送コンベア９に落下するのを防止できる。
【００４３】
支持部材２０４は、支持軸２０Ａの長手方向に離間する解砕刃２０Ｂ，２０Ｂとの中間に設けてもよいが、図示するように、一方の解砕刃２０Ｂ寄りに接近させると、解砕刃２０Ｂと支持部材との離間距離が短いものと、長いものが支持軸２０Ａの長手方向に交互にあらわれ、多様な解砕を行わせることができ望ましい。
【００４４】
（解砕刃）
図６に示すように支持軸２０Ａに対して直角に解砕刃２０Ｂが複数備わり、解砕刃２０Ｂは支持軸２０Ａ方向に離間して配設されている。解砕刃２０Ｂには鉤状部（フック部）２０Ｃが解砕刃２０Ｂの外方に突出して形成されている。
解砕刃２０Ｂの鉤状部（フック部）２０Ｃの数は適宜でよく、図１５の例では６つ、図１６の例では２つである。図１６の例で示すように、鉤状部（フック部）２０Ｃは解砕刃２０Ｂの円周上の離れた位置に1つずつ合計２つ設けてもよく（図１６（ａ））、また、いわゆる、錨型のように、２つの鉤状部（フック部）２０Ｃ相互の向きを円周方向の反対側に向かうように設けてもよい（図１６（ｂ））。さらに解砕刃２０Ｂの鉤状部（フック部）２０Ｃの向きは全てが同方向のほか、あえて図１５に変形例として示すように、鉤状部（フック部）２０Ｃの向きが対向する形態を有していてもよい。
【００４５】
解砕刃２０Ｂの鉤状部（フック部）２０Ｃにおける、中心２０Ｑからの半径方向に沿う突出長ｈは解砕特性との関係で適宜選定できるが、圧縮梱包品１を対象とする実施の形態においては、１５ｃｍ〜８０ｃｍ、特に２５ｃｍ〜６０ｃｍが好ましい。
【００４６】
また、鉤状部（フック部）２０Ｃの向き（鉤状部（フック部）２０Ｃ先端と支持軸２０Ａの軸芯を結ぶ線に対し、凹陥している内側面（内側線）が回転に伴って移動する方向が、図６に示す、ＦＲ方向であってもよいし、ＢＡ方向であってもよい。
図示例では、解砕刃（２０Ｂ１、２０Ｂ２、２０Ｂ３、２０Ｂ４）はＦＲ方向であり、解砕刃（２０Ｂ５、２０Ｂ６、２０Ｂ７）はＢＡ方向である。また、解砕刃（２０Ｂ２´、２０Ｂ３´、２０Ｂ４´）はＢＡ方向であり、解砕刃（２０Ｂ５´、２０Ｂ６´）はＦＲ方向である。このように配置しておくと、支持軸２０Ａをどちら側に回転させても、圧縮梱包品１に鉤状部２０Ｃが接触するので、解砕がスムーズに行われる。ここで、ＦＲ方向とは同図で支持軸２０Ａを左側から右側に見た場合に時計回りとなる方向であり、ＢＡ方向とは反時計回りとなる方向である。
【００４７】
軸芯方向に沿う解砕刃２０Ｂ，２０Ｂ…群の鉤状部２０Ｃの位置が軸芯回り方向に相違している。換言すると支持軸２０Ａを回転させたとき、隣り合う解砕刃２０Ｂ，２０Ｂ…それぞれの位相が異なるように配置されている。具体的には、支持軸２０Ａの軸芯方向の視線で（図６のＡ−Ａ矢視）について、図１５に示すように、隣接する解砕刃２０Ｂ１及び解砕刃２０Ｂ２の関係において、解砕刃２０Ｂ１と中心２０Ｑと解砕刃２０Ｂ２のなす角度を所定の角度αとなるよう形成することができる。この角度αとしては、特に限定されないが、例えば１０度〜８０度以内で適宜選択できる。
【００４８】
別の実施形態として、支持軸２０Ａを３本以上並列させることもできる。その場合でも、隣り合う支持軸２０Ａそれぞれの解砕刃２０Ｂ相互を最接近させたときに、その最接近する解砕刃２０Ｂ相互の距離が離間するように、隣り合う支持軸２０Ａを並列させるようにする。
【００４９】
圧縮梱包品１は搬送コンベア５により搬送され、２軸解砕装置２０に投入される。解砕部２０３に導かれた圧縮梱包品１は、位相の異なる解砕刃２０Ｂそれぞれの回転により力を受け、ｘ方向及びｙ方向（図５参照）に転がりながら徐々に解砕される。そして、包装袋の分離と解砕・破断がなされる。
【００５０】
解砕後の解砕物、具体的には、解砕後のクラフト紙やプラスチックフィルム、これら以外の包装袋構成材料のサイズは一様ではなく、大きいサイズのものや小さいサイズのものが混在した状態となる。具体的には、例えば解砕物の少なくとも５０％以上のものが、最大幅５００ｍｍ、最大面積２５〜１００００ｃｍ2程度に解砕されているのが望ましい。解砕後のクラフト紙のサイズが小さすぎると、最終的に製造される古紙パルプの強度が小さいものとなり、品質の低下を招く原因となる。
適度なサイズに解砕された解砕物は、２軸解砕装置２０の開放された下部から搬送コンベア９に落下する。
【００５１】
（投入フィーダー）
２軸解砕装置２０により解砕され細分化された解砕物は搬送コンベア９により、直接に弁別手段に供給する、あるいは古紙パルプ製造工程に供給するのではなく、好ましくは前記解砕物を大きさ基準で分離し、分離した残分を得て、この残分を弁別手段に供給する、あるいは古紙パルプ製造工程に供給する。
【００５２】
この投入フィーダー３０としては、回転軸３０Ａにその長手方向に沿って搬送ディスクが多数設けられた搬送軸が、平行に搬送方向に離間して多数設けられ、搬送ディスクは、その外周面がなす軌跡の各点と前記回転３０Ａの軸芯との離間距離が段階的に、大から小に変化し、その後小から大に変化する外周面を有するものである、形態が好適である。
また、搬送軸は、回転軸にその長手方向に沿って搬送ディスクが多数、等間隔で設けられている形態とすることもできる。
【００５３】
搬送ディスクは、具体的に、その外周がなす形状が三角形、四角形、五角形及び六角形から選ばれる多角形その他の多角形の形態とすることができる。また、同多角形の各辺に膨らみを持たせた略多角形の形態とすることもできる。
図７及び図８の膨らみをもつ略三角形の形態を例にとると、その一つの外周面においては、その外周面がなす軌跡の各点と回転軸３０Ａの軸芯との離間距離が段階的に、角部から中央にかけて大から小に変化し、その後小から大に変化して他方の角部に至る。
【００５４】
実施の形態における投入フィーダー３０は、搬送コンベア９により搬送された解砕物の分別を行うものである。搬送された解砕物を、重量物ＰＷ、アンダーサイズＰＵ、及びオーバーサイズＰＯに分別する。例えば、重量物ＰＷには未解砕のクラフト紙が主に含まれる。アンダーサイズＰＵには細切れのクラフト紙やプラスチックフィルムが主に含まれる。オーバーサイズＰＯには比較的面積の大きいクラフト紙が主に含まれ、一部プラスチックフィルムも含まれることになる。投入フィーダー３０は全体が下流側を上に向けた傾斜状態に設置されたものである。
【００５５】
図７に示すように投入フィーダー３０は、搬送方向（ｘ方向）に多数の回転軸３０Ａを有する。そして、多数の回転軸３０Ａそれぞれは直交するｙ方向に離間しつつ延在している。
図８及び図９に示すように各回転軸３０Ａには多数の搬送ディスクが所定の間隔を空けて設けられ、搬送軸を構成している。搬送ディスクは一方のディスク面から突出部が形成されている。
図示の形態では、突出部は、搬送大ディスク３０Ｃのディスク面に搬送小ディスク３０Ｂが突出した形状をなし、一体化した形態、搬送ディスク（３０Ｂ、３０Ｃ）となっている。搬送大ディスク３０Ｃと搬送小ディスク３０Ｂ相互は、それぞれの中心（中点）を回転軸３０Ａの軸芯と一致させた形態となっている。しかしながら、これに限定されるものではない。例えば、搬送大ディスク３０Ｃの中心（中点）と回転軸３０Ａの軸芯がずれており、かつ、搬送小ディスク３０Ｂの中心（中点）と回転軸３０Ａの軸芯がずれている形態とすることもできる。
第１の回転軸３０Ａ１と第２の回転軸３０Ａ２は、ｘ方向に並列させることができる。第１の回転軸３０Ａ１に設けられる搬送ディスク（３０Ｂ、３０Ｃ）は、左側に搬送小ディスク３０Ｂが、右側に搬送大ディスク３０Ｃが向くように形成され、これに対し、次の第２の回転軸３０Ａ２に設けられる搬送ディスク（３０Ｂ、３０Ｃ）は、右側に搬送小ディスク３０Ｂが、左側に搬送大ディスク３０Ｃが向くように形成され、ｘ方向に隣接する搬送ディスク間で、図９に示すように、搬送小ディスク３０Ｂと搬送大ディスク３０Ｃとが対向するように配置されている。
搬送軸は、回転軸３０Ａにその長手方向に沿って搬送ディスク（３０Ｂ、３０Ｃ）が多数、等間隔で設けられている形態とすることもできる。しかしながら、これに限るものではない。
この態様では、第１の回転軸３０Ａと第２の回転軸３０Ａ、及び相互に近接する４体の搬送ディスク（３０Ｂ、３０Ｃ）間で挟まれた領域が間隙３０Ｄ（図９参照）となる。
また、別の実施の形態として、搬送ディスク各々は、最大径が異なるディスクを複数重ねて一体化して形成されたものであり、最大径が異なるディスク各々の外周がなす形状が三角形、四角形、五角形及び六角形から選ばれる多角形である形態とすることもできる。
【００５６】
図１９、図２０に一例を示すように搬送小ディスク３０Ｂ及び搬送大ディスク３０Ｃは、外周の各辺に膨らみを持たせたほぼ多角形状とすることができる。例えば、三角形〜六角形等、多角形とすることができ、これら多角形の各辺に膨らみを持たせるとより好ましい。膨らみを持たせると、隣り合う回転軸を回転させたとき、搬送ディスクの外周の角部から中央にかけて大から小への変化が膨らみを持たせない搬送ディスクよりも緩やかなものとなる。
【００５７】
また、搬送大ディスク３０Ｃを四角形、搬送小ディスク３０Ｂを三角形とすることもできる。しかしながら、回転させたときにｘ方向に隣接する搬送ディスク（３０Ｂ、３０Ｃ）相互を接触しないように離間させて配置することは言うまでもない。
【００５８】
搬送大ディスク３０Ｃの方が搬送小ディスク３０Ｂより大形であり、回転軸芯から搬送大ディスク３０Ｃの外周面までの距離は、回転軸芯から搬送小ディスク３０Ｂの外周面までの距離よりも長い。搬送ディスクの外周面に働く回転力は、この距離が長いほど大きい。紙類（搬送材料３００）が搬送小ディスク３０Ｂの外周面にある場合と、搬送大ディスク３０Ｃの外周面にある場合では、搬送材料３００が跳ね上がる力が異なることになる。よって、投入フィーダー３０に投入された搬送材料３００の各々は、投入フィーダー３０において適宜分散化される。
【００５９】
図１８（ａ）に示すように搬送ディスクの別の実施形態として、搬送ディスク全体形態が凸型ではない多角形状、例えば、三角形や四角形などであってもよい。第１の回転軸３０Ａ１に設けられた多数の搬送ディスク３０Ｅと第２の回転軸３０Ａ２に設けられた多数の搬送ディスク３０Ｅ相互が搬送方向に対向して配されてもよい。なお、これら多数の搬送ディスク３０Ｅの配列は第３の回転軸３０Ａ、第４の回転軸３０Ａ、・・・、第ｎの回転軸３０Ａについても同様に配されてもよい。
また、同図（ｂ）に示すように第１の回転軸３０Ａ１に多数設けられた搬送ディスク３０Ｅ１各々と、第２の回転軸３０Ａ２に多数設けられた搬送ディスク３０Ｅ２各々とは相互に対向して配されていない形態であってもよい。例えば、第１の回転軸３０Ａ１に間隔を空けて設けられた搬送ディスク３０Ｅ１各々に対して、その間隔に搬送ディスク３０Ｅ２各々が配置されるようにしてもよい。
なお、これら多数の搬送ディスク３０Ｅの配列は第３の回転軸３０Ａ、第４の回転軸３０Ａ、・・・、第ｎの回転軸３０Ａについても同様に配されてもよい。
【００６０】
図３０に示すように搬送ディスクの外周面に突起部２６を複数突設させた態様とすることができる。突起部２６を有することで、搬送材料３００は搬送ディスクの角部のみならず突起部２６においても、搬送ディスクの回転力により上方への跳ね上がり及びバウンドが効率よく起こり、搬送材料３００の塊が解れ、密着された紙の分散化が促進される。また、図３１（ａ）に示すように搬送ディスクの態様を一例として、膨らみのある三角形の各角部を切り欠いた形態とすることができる。搬送ディスクの他の形態として膨らみのある四角形、五角形、六角形の各々について各角部を切り欠いた形態とすることができる。さらに、図３１（ｂ）に示すように回転軸３０Ａが搬送ディスクの中心（中点）からずれており、搬送ディスクが偏心回転する形態とすることができる。この場合の、搬送ディスクの外周がなす形状は、三角形、四角形、五角形、六角形等の角形でもよいし、円形、楕円形でもよい。これらの形状の搬送ディスクを、回転軸３０Ａを中心に回転させると、これら搬送ディスクと回転軸３０Ａとの離間距離が最も長い外周部において、大きい回転力により搬送材料３００を勢いよく跳ね上げることができる。
【００６１】
（投入及び選別）
投入フィーダー３０を稼働させると、多数の回転軸３０Ａは、図８に示す曲線矢印の向きに回転を継続する。回転速度については可変に調節することができる。搬送コンベア９により搬送された解砕物が、投入フィーダー３０の上流側に導かれると、解砕物（搬送材料３００）は搬送ディスク（３０Ｂ、３０Ｃ）の形状及び回転力により下流側上方へ跳ね上がり、バウンドしながら下流側に順次移動する。また、バウンドを繰り返すことで、搬送材料３００は分散化され、投入フィーダー３０の一部にのみ搬送材料３００による負荷がかかるのを防止できる。すなわち、例えば図７〜図９に示す例では、ほぼ三角形の搬送ディスクが回転すると、外周面と回転軸芯との離間距離が変化するので、クラフト紙やプラスチックフィルムなどを跳ね上げながら投入フィーダー３０の下流側に送り込む。
【００６２】
（重量物ＰＷ）
本実施形態では搬送面３７を、下流側を上に向けた傾斜状態に設置している。重量物ＰＷは跳ね上がらない又は跳ね上がりが弱いので、搬送面３７の上流端から下方に転がり落ち、下流端から下方に集められる。この重量物ＰＷは、例えばフォークリフト２を用いて、再び１軸解砕装置１０に投入される。
【００６３】
（アンダーサイズＰＵ）
重量物ＰＷが除かれた搬送材料３００のうち比較的、細切れのクラフト紙やプラスチックフィルム等（アンダーサイズＰＵ）は、搬送過程で間隙３０Ｄから重力により透過する。当該アンダーサイズＰＵのうちプラスチックフィルムは、例えば、集められ樹脂再生物の原料として再利用されたり、燃料として利用されたりする。また、細切れのクラフト紙は、集められ燃料として利用される。
【００６４】
（オーバーサイズ）
さらにアンダーサイズＰＵが除かれた搬送材料３００は、搬送面３７の下流端に順次移動される。下流端から落下したこの搬送材料（オーバーサイズＰＯ）は主に比較的面積の大きいクラフト紙からなり、その他多くはないがプラスチックフィルムも含まれる。これらオーバーサイズＰＯは次に続く弁別工程に導かれる。
オーバーサイズＰＯの分画は、適宜選択することができるが、例えば、２５ｃｍ2分画基準とすることができる。
【００６５】
包装袋から有色古紙を製造する工程では、有色古紙の原料とそれ以外のものの選別が必要である。当該包装袋からプラスチックフィルムを取り除いたものであっても、選別価値のないスクラップや縫い糸、細切れのクラフト紙やプラスチックフィルム等（例えば、数センチ四方のクラフト紙）が依然として解砕された解砕物に混在する。これらアンダーサイズＰＵは、優良な有色古紙を製造する工程の妨げとなる。
【００６６】
従来は、人の手によりアンダーサイズＰＵを取り除いていたが、費用対効果の面で低いものであった。本実施形態に係る投入フィーダー３０を用いることで、重量物ＰＷはもちろん、アンダーサイズＰＵも排除される。そうすると、オーバーサイズＰＯに含まれるアンダーサイズＰＵを極力少なくすることができる。よって、次工程である弁別工程において質の高い有色古紙の原料を用いることができ、製造製品の品質向上につながる。
【００６７】
また、１軸解砕装置１０により適度なサイズに解砕された解砕物の中には、一部塊のままの状態や包装袋の小片が複数、一体化したままの状態のものも混在する場合がある。このような状態の解砕物でも投入フィーダー３０により跳ね上がったりバウンドしたりすることで、塊が解れ、包装袋の一体化した小片が分散化される。そうして、重量物ＰＷ、アンダーサイズＰＵ、オーバーサイズＰＯに分離される。
【００６８】
ここで、搬送面３７は水平に設置することもできるが、下流側をリフトアップさせ、傾斜させて配置することもできる。このとき、図２７に示すように、傾斜角度θ２は１０度〜３０度、好ましくは１５度〜２５度とするとよい。搬送材料３００は搬送ディスクの回転により下流側上方へ跳ね上がる（この場合の跳ね上がり角度を、図２７（ａ）のθ１とする）。しかしながら、搬送面３７を傾斜させると、搬送材料３００の前方への跳ね上がりは鈍化し、搬送材料３００は上方へより跳ね上がる。例えば、搬送面２７を角度θ２だけ傾斜させた場合、跳ね上がり角度は、図２７（ｂ）のθ１＋θ２となる。そうすると、搬送材料３００の下流側（前方）への移動速度は小さくなるので、搬送材料３００が搬送面３７を通過する時間は長くなる。個々の搬送材料３００は投入フィーダー３０内に、より長い時間滞留して分離されることになる。
重量物ＰＷは跳ね上がらない又は跳ね上がりが弱いので、搬送面３７を傾斜させることで上流側から下方に転がり落ち、他の搬送材料３００と分離される。結果として、搬送材料３００は重量物ＰＷ、アンダーサイズＰＵ、及びオーバーサイズＰＯに確実に分離される。なお、重量物ＰＷ、特に未解砕の重包装袋は再度１軸解砕装置１０に投入される。
【００６９】
搬送ディスクの回転速度及び、上記傾斜角度はそれぞれ独立に可変に調節可能である。同回転速度を調節することで搬送材料３００の跳ね上がり具合が変わり、また同傾斜角度を調節することで搬送材料３００が投入フィーダー３０に滞留する時間が変わる。これら回転速度と傾斜角度を調節することで、投入フィーダー３０の分離性能を適宜調節できる。よって、本パルプ原料となるクラフト紙の最適な分離が可能となる。なお、搬送ディスクは図８に示す曲線矢印方向に回転（順回転）でき、また逆方向にも回転（逆回転）できる。
【００７０】
搬送ディスクの最大径は、９〜７０ｃｍとするとよい。より好ましくは２０〜５０ｃｍがよく、９ｃｍを下回ると、搬送方向に対向する搬送ディスク相互の間隔が密になり間隙３０Ｄの大きさが小さくなるので、アンダーサイズＰＵの一部が間隙３０Ｄから重力により透過しにくくなり、アンダーサイズＰＵとオーバーサイズＰＯが確実に分離されない。また、７０ｃｍを超えると、搬送方向に対向する搬送ディスク相互の間隔が疎になり間隙３０Ｄの大きさが大きくなり過ぎ、オーバーサイズＰＯの一部も間隙３０Ｄから落下してしまう。よって、所望の分離を行えない。
また、図１８（ａ）において、回転軸３０Ａ相互の離間間隔３８ｘ、回転軸３０Ａに設けられた搬送ディスク相互の離間間隔３８ｙは、分離対象物と所望の大きさ基準で分離できるよう適宜調節することができる。一例として、回転軸３０Ａ相互の離間間隔３８ｘを４５ｃｍ〜６５ｃｍ、回転軸３０Ａに設けられた搬送ディスク相互の離間間隔３８ｙを４０ｃｍ〜６０ｃｍとすることができる。しかしながら、この範囲に限るものではない。
搬送ディスク（３０Ｂ、３０Ｃ）の回転速度は、１００ｍｉｎ-1〜２００ｍｉｎ-1であることが好ましい。また、１２０ｍｉｎ-1〜１８０ｍｉｎ-1であることがより好ましい。１００ｍｉｎ-1を下回ると搬送材料３００が搬送ディスク（３０Ｂ、３０Ｃ）間に多量に挟まれる原因となり、搬送材料３００の確実な分離が行われなくなる。２００ｍｉｎ-1を上回ると搬送ディスク（３０Ｂ、３０Ｃ）の回転力が大き過ぎ、搬送材料３００の跳ね上がり及びバウンドが乱雑になったり、直ちに搬送面２７の下流端に達してしまったりして確実な分離が行われなくなる。
搬送ディスクの回転速度については、投入フィーダー３０の上流部、下流部で異なる回転速度にすることができる。例えば、投入フィーダー３０の搬送方向の、中点より上流部に位置する搬送ディスクの回転速度を、中点より下流部に位置する搬送ディスクの回転速度よりも小さいものとするとよい。このようにすると、上流部においては回転速度が比較的小さいので、重量物ＰＷとそれ以外（アンダーサイズＰＵとオーバーサイズＰＯ（請求項における「残分」をいう。））を確実に分離できる。下流部においては回転速度が比較的大きいので投入フィーダー３０に搬送材料３００が留まる時間を短縮でき、効率的な処理速度を達成できる。
【００７１】
なお、投入フィーダー３０を稼働して、搬送材料３００を分離する際に発生する粉塵等の飛散防止のために、投入フィーダー３０に粉塵飛散防止手段を設けてもよい。粉塵飛散防止手段の例として、投入フィーダー３０の上方に換気用フードを設け、搬送材料３００が分離される過程で発生する粉塵等を換気手段により吸引することで粉塵の飛散を防止できる。換気手段としては、具体的に、投入フィーダー３０の上方全体を覆うフードとフードに連結されたダクト、そしてダクトの先にフィルターを介して換気装置を設置するとよい。換気装置を起動させることで、搬送材料３００から発生する粉塵等はフードに吸い込まれ、フィルターに集塵される。なおフィルターを備える位置はフードとダクトの連結部に設けることもできる。
【００７２】
投入フィーダー３０の幅方向の両端縁をケーシングで覆うことができる。ケーシングにより搬送材料３００が幅方向の端縁から脱落するのを防止する効果がある。
また、別の実施形態として投入フィーダー３０の幅方向の両端縁と上方を覆うケーシングを設けてもよい。搬送材料３００が幅方向の端縁から脱落することを防止でき、搬送材料３００から発生する粉塵等の投入フィーダー３０外部への飛散を防止できる。
【００７３】
さらに、別の実施の形態として、複数台の投入フィーダー３０を直列に配置させた形態を提供できる。例えば、第１の投入フィーダー３０は、搬送ディスクの回転速度を相対的に大きく設定し、第１の投入フィーダー３０の搬送面３７の傾斜角度を相対的に小さく設定する。第２の投入フィーダーは、第１の投入フィーダーの搬送面３７の下流端に達した搬送材料３００の投入を受けるものである。第２の投入フィーダー３０は、同回転速度を相対的に小さく設定し、第２の投入フィーダー３０の搬送面３７の傾斜角度を相対的に大きく設定する。
第１の投入フィーダー３０では搬送材料３００の下流端までの到達時間が相対的に短い。第１の投入フィーダー３０の搬送面３７は傾斜しているので、重量物ＰＷは跳ね上がらない又は跳ね上がりが弱く下流側に進まず、第１の投入フィーダーの上流から下方に転がり落ち、下流端から下方に集められる。一方、第１の投入フィーダーの回転速度は相対的に大きく搬送材料３００は前方上方へ跳ね上げられ、下流端までの到達時間が短いため、アンダーサイズＰＵの一部は、間隙３０Ｄから重力により透過される。しかしながら、残りのアンダーサイズＰＵは透過されずに第１の投入フィーダー３０の下流端に達してしまう。結果としてアンダーサイズＰＵの一部とオーバーサイズＰＯが下流端に達する。この下流端に達したものを、「第１の残分」という。その後、これらオーバーサイズＰＯと一部のアンダーサイズＰＵ（第１の残分）は第２の投入フィーダー３０に投入される。
第２の投入フィーダー３０では搬送材料３００の滞留時間が相対的に長い。搬送材料３００（主にオーバーサイズＰＯと一部のアンダーサイズＰＵ）は第１の投入フィーダー３０よりも時間をかけて分離されるので、この一部のアンダーサイズＰＵを確実に間隙３０Ｄから力により透過させることになる。第２の投入フィーダーの搬送面３７の下流端に達したオーバーサイズＰＯは、次の工程に投入される。
【００７４】
他の実施の形態として、投入フィーダー３０を揺動させる形態を提供できる。揺動させることで、搬送材料３００は搬送ディスクの回転力と揺動による力を受け、より一層分離されやすくなる。投入フィーダー３０の揺動については搬送方向（すなわち、前後方向）、上下方向、幅方向に揺動させてもよいし、回転の動作により揺動させてもよい。またこれらの動作を組み合わせた動作等種々の動作で揺動させることもできるが、これらの動作に限るものではない。
図２９に示すように揺動機構として次の形態を一例として示すことができる。投入フィーダー３０を揺動させるための揺動軸２５が投入フィーダー３０の下流部の幅方向の両側端から、それぞれ幅方向の外方に突出して備わる。同じく、揺動軸２５が投入フィーダー３０の上流部の幅方向の両側端から、それぞれ幅方向の外方に突出して備わる。これら４本の揺動軸を前後方向２６（すなわち、図２９に示す矢印２６（ｘ方向及び−ｘ方向）に所定の振幅で動作させることにより投入フィーダー３０を揺動させることができる。同様に、幅方向（ｙ方向及び−ｙ方向）に所定の振幅で動作させてもよい。さらに、投入フィーダー３０を上下方向（ｚ方向及び−ｚ方向）に所定の振幅で揺動や上下動をさせてもよい。また、これら４本の揺動軸をｘｚ平面上で円弧を描くように回転動作させることにより投入フィーダー３０を揺動させることができる。別の揺動機構の形態として、投入フィーダー３０全体を支持する支持部材を設け、この支持部材が揺動機構を有する形態とすることもできる。
【００７５】
オーバーサイズＰＯは、例えば搬送コンベア９を介して投入フィーダー３０に投入される。投入フィーダー３０は分散化手段を、又は分散化手段の一部を構成することができる。
投入フィーダー３０の一例は、下流側が下り傾斜の振動フィーダーである。この投入フィーダー３０では下流側に落下する過程で、幅方向に分散されるとともに、オーバーサイズＰＯの重なりを解除して分散化（個別化）が図られる。
なお、搬送コンベア９及び投入フィーダー３０を設けない態様とすることもできる。この場合、投入フィーダー３０により分離されたオーバーサイズＰＯは、直接、弁別（分別）装置４０に投入される。
【００７６】
（弁別手段）
投入フィーダー３０により分散されたオーバーサイズＰＯは、弁別（分別）装置４０に投入される。
弁別（分別）装置４０は、例えば、搬送コンベア４１と、ハイパースペクトルカメラ４３により材料を測定する材料測定手段とを有するのが望ましい。
また、個々の搬送物について、材料測定手段により測光した吸光度スペクトルに基づきセルロース成分が支配的であるか否かを判断する弁別手段４５を有するのが望ましい。
ハイパースペクトルカメラ４３は、搬送コンベア４１の幅方向に設けても、搬送コンベア４１の流れ方向に並べて設けても良いが、好ましくは、後工程におけるエアーによる吹き飛ばし仕分けとの連携動作精度を高め得る効果から、搬送コンベア４１の幅方向に並列して設けることが好ましい。
【００７７】
搬送コンベア４１では投入されたオーバーサイズＰＯを、搬送方向に分散させる。搬送物を分散化するには、例えば、搬送コンベア４１の搬送面を前後や上下、左右に振動するとよい。また、搬送面に対して、搬送面の上方（斜め上方を含む）や幅方向の端縁からもう一方の端縁へエアーを送風できるように図３２に示すエアノズル５９を備えてもよい。このように搬送面を振動させたり、搬送面にエアーを送風することで搬送物が好適に分散化され、ハイパースペクトルカメラ４３による弁別が確実なものとなる。
【００７８】
かかる弁別手段４５による弁別により、セルロース成分が支配的である場合には、クラフト紙である、他方で、セルロース成分が支配的ではない場合（例えば、樹脂成分が支配的である場合）には、プラスチックフィルムである、として弁別し、その弁別信号に基づいて仕分けを行うことができる。
【００７９】
「クラフト紙以外」のものとして、包装袋の内容物や包装袋に付随する粘着テープ類、ワッペン類、ファイルの金具、金属クリップ類、セロハン、発泡スチロール、縫い糸等のいわゆる禁忌品がある。
この禁忌品の例示のように、「クラフト紙以外」のものは禁忌品であり、古紙パルプ原料とすることができないので古紙処理系から除外する必要がある。
【００８０】
また、例えば樹脂フィルムが貼合されたラミネート紙などを分別するためには、材料（材質）測定が必要となる。そこで、ハイパースペクトルカメラ４３により材料（材質）を測定する。
ハイパースペクトルカメラ４３は、可視光から短波赤外領域（ＳＷＩＲ）までの広い波長領域を細かい波長域で区分けし、それぞれの波長域での光強度（波長スペクトル）を取得することができる。例えば、近赤外線（７５０〜１７００ｎｍ近傍）領域も撮影可能である。符号４６は可視光から近赤外領域までの波長をもつ光源である。
物質を構成している分子は、様々な運動をしており、運動している分子に光をあてると、運動状態に合わせて特定の波長の光のみが吸収される。吸収される赤外線領域の波長は、分子を構成する原子間距離と振動方向によって決まった値になり、分子の種類を的確に表す特徴的な波長分布になる。反射・吸収された波長分布（吸収スペクトル）を調べることによって、測定対象物がどのような分子を含んでいるかを知ることが可能である。かかる原理によって、材料（材質）を測定することができる。
【００８１】
図２１〜図２６に吸収スペクトル分布例を示す。セルロースと樹脂類とは吸収スペクトル波長分布が明確に異なるので、クラフト紙とプラスチックフィルムとに弁別が容易となる。
ちなみに、セルロース成分が支配的である、すなわちクラフト紙である蓋然性が高い場合、近遠赤外線の反射波の強度波形が１４４０〜１４９０ｎｍの範囲に深い谷を有する波形として明確に現れる。
これに対し、樹脂成分が支配的である場合には、波形谷が１６７０ｎｍ近辺、１７３０ｎｍ近辺に現れ、しかも、谷部の波形も材質特有なものを示す。したがって、樹脂間でも材料（材質）の弁別が可能である。
【００８２】
弁別（分別）装置４０により弁別（分別）を行った搬送物について、搬送コンベア４１の搬送速度との関係で、当該搬送物が、例えば搬送コンベア４１から落下する過程で仕分け装置５０を作動させる。
仕分けには人手により行うこともできるが、自動化手段を使用するのが望ましい。
実施の形態では、エアコンプレッサー（図示せず）からのエアーによる吹き飛ばし仕分けを行うようにしてある。
【００８３】
すなわち、クラフト紙からなる古紙が搬送コンベア４１の下流端に到達した場合には、第１エアノズル５１を作動させ、第１回収容器５３に回収し、プラスチックフィルムが搬送コンベア４１の下流端に到達した場合には、第２エアノズル５２を作動させ、第２回収容器５４に回収する。クラフト紙からなる古紙でもなくプラスチックフィルムでもないものは、例えばエアノズルを作動させることなくそのまま搬送コンベア４１の下流端から落下させ第３回収容器５５に回収できる。
【００８４】
ここで、搬送コンベア４１の幅が広い場合には、幅方向に複数の搬送物が搬送されることになるので、上記エアノズルは幅方向に複数配置することができる。
また、回収の方向を図示例のように搬送方向に区分するほか、搬送コンベア４１の下流部で幅方向外側に向けてエアーによる吹き飛ばしを行い仕分け及び回収を行うこともできる。また、エアーによる吹き飛ばしを搬送コンベア４１上で行うようにしてもよい。
さらに、プラスチックフィルムを仕分け及び回収するために、搬送コンベア４１の横方向外方に向けてエアーによる吹き飛ばしを行うこともできる。
プラスチックフィルムの比重はクラフト紙の比重よりも小さいことを利用し、搬送コンベア４１でプラスチックフィルムのみをエアーにより吹き飛ばすと好ましい。エアーの風圧を適宜調節することで、クラフト紙を吹き飛ばさず、プラスチックフィルムを吹き飛ばすことが可能である。
さらに、搬送コンベア４１で搬送されるクラフト紙とプラスチックフィルムのなりを判別するため、図３２に示すように搬送コンベア４１の幅方向端縁にハイパースペクトルカメラ４３を別途設けても良い。
【００８５】
クラフト紙からなる古紙は、製品となるクラフト紙や段ボール古紙パルプ用等の材料とすることができ、プラスチックフィルムは樹脂原料や燃料とすることができる。図１に回収されたクラフト紙からなる古紙３１１及び回収されたプラスチックフィルム３１２をベーラー１３により梱包し、後に利用に供する形態を図示してある。
【００８６】
上記のように回収されたクラフト紙からなる古紙１１は、クラフト紙や段ボール古紙パルプ（ＷＰ）用材料とすることができる。
回収されたプラスチックフィルム１２は、再び樹脂原料として、又は熱エネルギー用の燃料として利用できる。段ボール古紙パルプを製造する場合、既存の又は公知のパルプ製造設備で製造できるが、以下の実施の形態で製造するのが最適である。
【００８７】
回収されたクラフト紙からなる古紙１１により例えば段ボール用途の古紙パルプ（ＷＰ）を製造する一例を図１３に示した。
この実施の形態を要すれば次のとおりである。
（１）回収されたクラフト紙からなる古紙の乾式の解砕工程
（２）高濃度パルパーによる離解工程
（３）リフラー型スクリーンによるスラッシング工程を含む粗選工程
（４）前段クリーナー、ホールスクリーン、スリットスクリーン、後段クリーナーの順の第２粗選工程
（５）脱水工程
（６）精選工程でのホールスクリーンリジェクトは、ローターと丸穴円筒バスケットからなる離解分散と、スリットスクリーン及び又はドラムスクリーンの精選リジェクト回収工程
を有するものである。
【００８８】
具体例を説明すると、回収されたクラフト紙由来の古紙（ベール）１３Ａは必要に応じ乾式で解砕装置６１により解砕される。
例えば３５ｍｍ幅に裁断された解砕物は、高濃度パルパー６２により好ましくは連続高濃度パルパー、より好ましくは蒸気を得ながら、又は、離解促進剤、アルカリ性薬品、ピッチ封鎖剤、脱墨剤等を添加して離解される。
上記の高濃度パルパーを用いた場合、強度の強いクラフト紙の離解が容易になる。さらに、クラフト紙とプラスチックフィルムが接着剤により接着されている原料が混入した場合、前記接着剤の異物を微細化できるため、クラフト紙とプラスチックフィルムが分離し易く、クラフト紙のみ原料として利用できる。
クラフト紙由来の古紙に含まれる重量異物は、分離機７８により分離される一方で、タンク６３に一旦貯蔵される。続いて、第１粗選工程を実施ためのフラッシュソーター（リフラー型スクリーン）からなる分別機６４により異物分離を行い、タンク６５に貯蔵される。その後、タンク６７に送る。
続いて、前段クリーナー６８により重量異物を除去し、ホールスクリーン６９に送り、残存するプラスチックフィルムやラミネートなどを分離し、タンク７２に貯蔵する。
その後、スリットスクリーン７３により細かな異物除去を行い、タンク７４に貯蔵する。
続いて、後段クリーナー７５により、細かな異物除去を行い、フィルター７６、例えばドラム式パルプレスフィルターにより脱水を図り、古紙パルプとしてタンク７７に仮貯蔵する。
他方で、第１粗選工程でのホールスクリーン６９のリジェクト分は、ローターと丸穴円筒バスケットからなる、離解と分別の両方の機能を有する離解分散機（コンビソーター）７１に供給される。同離解分散機（コンビソーター）７１ではリジェクト中の繊維分が回収される。
【００８９】
弁別（分別）装置４０は包装紙専用でなく、他の解砕済みの解砕物を得て弁別するようにしてもよく、この場合、クラフト紙由来の有色古紙のほか、白色古紙用として弁別することもできる。
【００９０】
そこで、弁別回収された白色古紙は、例えば、図１４のフローにより新聞古紙パルプ（ＮＤＩＰ）用途として製造することができる。
白色古紙８０ａは、パルパー８０により離解され、ターボセパレーター８１、高濃度クリーナー８２及び粗選スクリーン８３により粗選される、続いて、プレフローテーター８４により脱墨された後、クリーナー８５、スクリーン８６により精選され、脱水機８７により脱水される。その後、ホットディスパーザー８８により異物除去を行い、過酸化水素タワー８９にて漂白処理され、ポストフローテーター９０により脱墨された後、脱水機９１により脱水され、高濃度ポンプ９２により高濃度タワー９３から抄紙機（図示せず）へ送給される。
【００９１】
本発明の包装袋からなる梱包品の処理方法の実施にあたり、上記の装置を使用することに限定されず、また、一部の工程を人力又は機器の併用による半自動で行うことができる。梱包品は圧縮梱包品に限定されない。さらに回収古紙の利用先、及び廃棄先は適宜選定でき、上記例に限定されない。
【００９２】
クラフト紙は強度のある紙として包装用紙に広く使用されている。特に重量がかかる米、砂糖、セメント、肥料などの包装に使用されている重包装袋用クラフト紙は，繊維の長い針葉樹を用いて製造されているものがある。
【００９３】
以下に、本発明に組み込みを行うことができる態様を列挙する。
［態様１］
分散化手段により分散された搬送物群を搬送コンベア上に乗せて搬送し、搬送コンベア上に対向して、ハイパースペクトルカメラを設置する古紙パルプ原料の製造方法。
【００９４】
［態様２］
分散化手段により分散された搬送物群を搬送コンベア上に乗せて搬送し、搬送コンベア上に対向して、ハイパースペクトルカメラを設置するとともに、
搬送物群が搬送コンベア上から排出される時点で、排出搬送物をエアーで吹き付けて飛ばす分別ノズルを設け、前記判断基準に基づいて飛ばす位置を区別することにより仕分けを行う、
古紙パルプ原料の製造方法を提供できる。
【００９５】
［態様３］
近遠赤外線の反射波の強度波形が１４４０〜１４９０ｎｍの範囲に深い谷を有する波形の場合を、セルロース成分が支配的であると弁別する、
古紙パルプ原料の製造方法を提供できる。
【００９６】
［態様４］
２軸解砕装置は、
軸芯回りに回転する実質的に平行な少なくとも２本の第１支持軸及び第２支持軸を有し、
前記各支持軸に、径方向外側に突出する解砕刃が前記軸芯方向に間隔を空けて複数設けられ、
前記解砕刃は、少なくとも外周部に鉤状部を有し、かつ、前記軸芯方向に沿う解砕刃群の鉤状部の位置が軸芯回り方向に相違しており、
前記解砕刃を有する前記支持軸がケーシング内に配置されており、
前記梱包品を解砕する過程で、前記解砕刃が前記包装袋を切り裂く、
構成である。
【００９７】
［態様５］
前記解砕物を分離する投入フィーダーは、
前記解砕物を大きさ基準で分離するものであり、
回転軸にその長手方向に沿って搬送ディスクが離間して多数設けられて搬送軸を形成し、
前記搬送軸が平行に搬送方向に離間して多数設けられて搬送面が形成され、かつ、この搬送面に間隙が形成され、
前記搬送ディスクは、その外周面がなす軌跡の各点と前記回転軸芯との離間距離が段階的に、大から小に変化し、その後小から大に変化する外周面を有し、
前記搬送面が水平面に対して上方に傾斜しており、
分離対象物を前記搬送面に沿って搬送する過程で、分離対象物の一部を、前記搬送面の間隙を重力で透過させ、透過しないものを前記残分とする、
構成である。
【００９８】
［態様６］
前記投入フィーダーにより分離された前記残分はクラフト紙とポリチューブを有し、この残分について、下記の弁別工程を含む弁別工程と、
この弁別工程は、
（１）前記残分を搬送方向に分散させる分散化手段と、
（２）分散化手段により分散された搬送物群について、ハイパースペクトルカメラにより前記搬送物群の材料を測定する材料測定手段とを有し、
（３）個々の搬送物について、前記材料測定手段により測光した吸光度スペクトルに基づき、セルロース成分又は樹脂成分が支配的であるか否かを判断する弁別工程と、を有し、
前記弁別工程による判断基準に基づき仕分けを行う仕分け工程と、
を順に有し、
前記仕分け工程においては、（４）セルロース成分が支配的である場合には、前記クラフト紙である、（５）樹脂成分が支配的である場合には、前記プラスチックフィルムである、として仕分けを行う、
古紙パルプ原料の製造方法。
【００９９】
他方で、図１の例は、例えば１軸破砕装置と多軸（２軸）破砕装置との設置位置が離れている場合には有効の例である。
【０１００】
これに対し、１軸破砕装置と多軸（２軸）破砕装置とを近接し、１軸破砕工程と多軸（２軸）破砕工程とを連続化できる。
この場合、次の工程を有する構成とすることができる。
前記包装袋を１軸破砕装置により破砕処理して、紙袋及びプラスチック袋を破砕する１軸破砕工程。前記１軸破砕工程からの破砕された少なくとも紙分を多軸破砕装置により破砕処理する多軸破砕工程。
【０１０１】
実施の形態では、図２に示すように、包装袋の圧縮梱包品１は、例えばフォークリスト２によって、前コンベア６に送られ、圧縮梱包品の番線などの異物７の除去がなされた後、投入コンベア８により１軸解砕装置１０に投入される。
１軸解砕装置１０の破砕物は、搬送コンベア１５、１６によって投入コンベア８に送られ、２軸解砕装置２０によって解砕されるものである。
２軸解砕装置２０以降のフローは、図１の場合と同様とすることができる。
【産業上の利用可能性】
【０１０２】
各種包装袋を回収して資源の有効利用及び環境保全に役立たせることができる。
【符号の説明】
【０１０３】
１  圧縮梱包品
１０  １軸解砕装置
２０  ２軸解砕装置
３０  投入フィーダー
４０  弁別（分別）装置
５０  仕分け装置
【図１】
2020105655.tif 000003
【図２】
2020105655.tif 000004
【図３】
2020105655.tif 000005
【図４】
2020105655.tif 000006
【図５】
2020105655.tif 000007
【図６】
2020105655.tif 000008
【図７】
2020105655.tif 000009
【図８】
2020105655.tif 000010
【図９】
2020105655.tif 000011
【図１０】
2020105655.tif 000012
【図１１】
2020105655.tif 000013
【図１２】
2020105655.tif 000014
【図１３】
2020105655.tif 000015
【図１４】
2020105655.tif 000016
【図１５】
2020105655.tif 000017
【図１６】
2020105655.tif 000018
【図１７】
2020105655.tif 000019
【図１８】
2020105655.tif 000020
【図１９】
2020105655.tif 000021
【図２０】
2020105655.tif 000022
【図２１】
2020105655.tif 000023
【図２２】
2020105655.tif 000024
【図２３】
2020105655.tif 000025
【図２４】
2020105655.tif 000026
【図２５】
2020105655.tif 000027
【図２６】
2020105655.tif 000028
【図２７】
2020105655.tif 000029
【図２８】
2020105655.tif 000030
【図２９】
2020105655.tif 000031
【図３０】
2020105655.tif 000032
【図３１】
2020105655.tif 000033
【図３２】
2020105655.tif 000034